(57)【要約】【課題】  満充電状態の電池を想定して低電圧検出しきい値を設定可能とし、従来に比べて使用時間を長くすることが可能な携帯電話機を提供する。【解決手段】  制御部１３はＡ／Ｄ変換部１３４で電池１５の出力電圧をＡ／Ｄ変換して取得する。また、制御部１３はＡ／Ｄ変換処理をタイマ１３３のタイマ値に基づいて行い、取得したＡ／Ｄ変換値をメモリ１３２に格納する。制御部１３は予め定めた電池レベル表示しきい値と、取得したＡ／Ｄ値とを比較し、電池レベルをＬＣＤ表示部１６に表示し、取得したＡ／Ｄ値が低電圧検出しきい値以下の場合にユーザに低電圧検出の報知を行う。【選択図】      図１
2007060782.tif 000002
【特許請求の範囲】
【請求項１】
充電可能な電池を搭載し、前記電池の電圧を予め設定される低電圧検出しきい値と比較して前記電池の低電圧を検出する携帯電話機であって、
前記電池の電圧降下量を監視する監視手段と、前記電圧降下量が予め定めた電圧以下となったことが前記監視手段で検出された時に前記低電圧検出しきい値に予め定めた調整値を加算してしきい値とする制御手段とを有することを特徴とする携帯電話機。
【請求項２】
自機の状態毎に設定された前記低電圧検出しきい値と、その状態毎に予め定めた調整値とを対応して保持する保持手段を含み、
前記制御手段は、自機の状態に応じて前記保持手段から読出した前記調整値にて前記低電圧検出しきい値を調整することを特徴とする請求項１記載の携帯電話機。
【請求項３】
前記保持手段は、自機の機能設定毎に予め定めた調整値を保持し、
前記制御手段は、自機の機能設定に応じて前記保持手段から読出した前記調整値にて前記低電圧検出しきい値を調整することを特徴とする請求項１または請求項２記載の携帯電話機。
【請求項４】
前記調整値にて調整した低電圧検出しきい値と前記電池の測定電圧とを比較する比較手段と、前記比較手段で前記電池の低電圧を検出した時に前記低電圧を外部に報知する手段とを含むことを特徴とする請求項１から請求項３のいずれか記載の携帯電話機。
【請求項５】
前記調整値にて調整した低電圧検出しきい値は、自機が電源オン状態のままであれば、前記電池の充電を行った際に予め設定された低電圧検出しきい値に戻すことを特徴とする請求項１から請求項４のいずれか記載の携帯電話機。
【請求項６】
充電可能な電池を搭載し、前記電池の電圧を予め設定される低電圧検出しきい値と比較して前記電池の低電圧を検出する携帯電話機に用いる電池電圧の低電圧検出方法であって、前記携帯電話機が、前記電池の電圧降下量を監視する第１の処理と、前記電圧降下量が予め定めた電圧以下となったことが前記第１の処理で検出された時に前記低電圧検出しきい値に予め定めた調整値を加算してしきい値とする第２の処理とを実行することを特徴とする電池電圧の低電圧検出方法。
【請求項７】
前記携帯電話機の状態毎に設定された前記低電圧検出しきい値と、その状態毎に予め定めた調整値とを対応して保持手段に保持しておき、
前記第２の処理にて、前記携帯電話機の状態に応じて前記保持手段から読出した前記調整値にて前記低電圧検出しきい値を調整することを特徴とする請求項６記載の電池電圧の低電圧検出方法。
【請求項８】
前記保持手段に、前記携帯電話機の機能設定毎に予め定めた調整値を保持しておき、
前記第２の処理にて、前記携帯電話機の機能設定に応じて前記保持手段から読出した前記調整値にて前記低電圧検出しきい値を調整することを特徴とする請求項６または請求項７記載の電池電圧の低電圧検出方法。
【請求項９】
前記携帯電話機が、前記調整値にて調整した低電圧検出しきい値と前記電池の測定電圧とを比較する処理と、前記電池の低電圧を検出した時に前記低電圧を外部に報知する処理とを実行することを特徴とする請求項６から請求項８のいずれか記載の電池電圧の低電圧検出方法。
【請求項１０】
前記調整値にて調整した低電圧検出しきい値は、自機が電源オン状態のままであれば、前記電池の充電を行った際に予め設定された低電圧検出しきい値に戻すことを特徴とする請求項６から請求項９のいずれか記載の電池電圧の低電圧検出方法。
【請求項１１】
充電可能な電池を搭載し、前記電池の電圧を予め設定される低電圧検出しきい値と比較して前記電池の低電圧を検出する携帯電話機に用いる電池電圧の低電圧検出方法のプログラムであって、前記携帯電話機のコンピュータに、前記電池の電圧降下量を監視する第１の処理と、前記電圧降下量が予め定めた電圧以下となったことが前記第１の処理で検出された時に前記低電圧検出しきい値に予め定めた調整値を加算してしきい値とする第２の処理とを実行させるためのプログラム。
【発明の詳細な説明】
【技術分野】
【０００１】
本発明は携帯電話機及びそれに用いる電池電圧の低電圧検出方法並びにそのプログラムに関し、特に携帯電話機の電池電圧を監視する方法に関する。
【背景技術】
【０００２】
従来、携帯電話機においては、待受中、通話中等の携帯電話機の状態毎に予め低電圧検出しきい値を定めている。携帯電話機では電池電圧を監視しており、携帯電話機の状態毎に応じた低電圧検出しきい値と比較し、低電圧検出処理を行っている（例えば、特許文献１，２参照）。
【０００３】
また、携帯電話機では、電池電圧が低電圧検出しきい値に至った場合、ユーザに低電圧報知を行い、ある一定期間、電源ＯＮ状態を保持した後に、電源をＯＦＦにしている。そのため、携帯電話機の低電圧検出しきい値は、システムリセット電圧に対して、ある一定期間、電源ＯＮ状態を保持することができる電池電圧としている。
【０００４】
ここで、図７に示すように、電池電圧は、満充電状態から消費した場合（電池電圧放電曲線２０２）と、不十分な充電状態から消費した場合（電池電圧放電曲線２０１）とでは電圧降下量に差があり、不十分な充電状態からの消費した場合には、電圧降下時間が短くなる（ｔ２１＜ｔ２２）という特徴がある。
【０００５】
【特許文献１】特開平０３−０５４４７９号公報
【特許文献１】特開２００１−１０３６７１号公報
【発明の開示】
【発明が解決しようとする課題】
【０００６】
上述した従来の携帯電話機では、不十分な充電状態からの消費した場合に電圧降下時間が短くなるという特徴があるため、低電圧検出しきい値を満充電状態の電池に基づいて定めると、充電不十分な電池の際に低電圧検出しきい値を検出した後、ある一定時間、電源ＯＮを保持することができず、電源ＯＦＦとする前にシステムリセット電圧となってしまう。
【０００７】
この問題を解消するために、従来の携帯電話機では、低電圧検出しきい値を検出した後、充電不十分な電池でもある一定時間は電源ＯＮを保持することができるように、低電圧検出しきい値を定めてきている。しかしながら、この定めた低電圧検出しきい値は、満充電状態の電池に対して高めの低電圧検出しきい値となり、満充電状態の電池での使用時間が短くなるという課題がある。
【０００８】
近年の携帯電話機では、小型化による電池容量への制約と、高機能化による高消費電力に伴い、使用時間が短くなる傾向にある。また、消費電力が大きい場合には、充電状態による電池電圧の降下量差も大きくなるため、低電圧検出しきい値を高く設定することになり、使用時間も更に短くなる傾向となっている。
【０００９】
そこで、本発明の目的は上記の問題点を解消し、満充電状態の電池を想定して低電圧検出しきい値を設定することができ、従来に比べて使用時間を長くすることができる携帯電話機及びそれに用いる電池電圧の低電圧検出方法並びにそのプログラムを提供することにある。
【課題を解決するための手段】
【００１０】
本発明による携帯電話機は、充電可能な電池を搭載し、前記電池の電圧を予め設定される低電圧検出しきい値と比較して前記電池の低電圧を検出する携帯電話機であって、
前記電池の電圧降下量を監視する監視手段と、前記電圧降下量が予め定めた電圧以下となったことが前記監視手段で検出された時に前記低電圧検出しきい値に予め定めた調整値を加算してしきい値とする制御手段とを備えている。
【００１１】
本発明による電池電圧の低電圧検出方法は、充電可能な電池を搭載し、前記電池の電圧を予め設定される低電圧検出しきい値と比較して前記電池の低電圧を検出する携帯電話機に用いる電池電圧の低電圧検出方法であって、前記携帯電話機が、前記電池の電圧降下量を監視する第１の処理と、前記電圧降下量が予め定めた電圧以下となったことが前記第１の処理で検出された時に前記低電圧検出しきい値に予め定めた調整値を加算してしきい値とする第２の処理とを実行している。
【００１２】
本発明による電池電圧の低電圧検出方法のプログラムは、充電可能な電池を搭載し、前記電池の電圧を予め設定される低電圧検出しきい値と比較して前記電池の低電圧を検出する携帯電話機に用いる電池電圧の低電圧検出方法のプログラムであって、前記携帯電話機のコンピュータに、前記電池の電圧降下量を監視する第１の処理と、前記電圧降下量が予め定めた電圧以下となったことが前記第１の処理で検出された時に前記低電圧検出しきい値に予め定めた調整値を加算してしきい値とする第２の処理とを実行させている。
【００１３】
すなわち、本発明の携帯電話機は、電池電圧の電圧降下量を監視し、予め定める低電圧検出しきい値を電池電圧の降下量に応じて調整し、電池電圧が調整した低電圧検出しきい値に至った場合に低電圧報知する低電圧検出方法を提供することを特徴とする。
【００１４】
本発明の携帯電話機では、ある電池電圧以下の電池電圧降下量を測定し、ある一定の電圧降下量より小さい場合、予め定めた低電圧検出しきい値を低電圧検出しきい値として用い、ある一定の電圧降下量より大きい場合、予め定めた低電圧検出しきい値に、予め定める値を加算した低電圧検出しきい値を用いて、低電圧検出を報知している。
【００１５】
また、本発明の携帯電話機では、電圧降下量より求めた低電圧検出しきい値を、携帯電話機の電源をＯＦＦするか、電源ＯＮのままであれば充電を行うまで保持する。さらに、本発明の携帯電話機では、携帯電話機の状態毎に低電圧検出しきい値を持つ場合に、その状態毎に加算する値を持つものとする。
【００１６】
より具体的に説明すると、本発明の携帯電話機では、制御部がＡ／Ｄ（アナログ／ディジタル）変換部で電池の電圧監視を行っており、電池電圧放電曲線に対して予め定める電池電圧値を検出し、この電池電圧値の検出後の時点と、ある時点の電池電圧値及びその測定時のタイマ値とをメモリに格納する。
【００１７】
制御部はメモリに格納した情報から電圧降下量を算出し、その算出値がある一定の電圧降下量より小さい場合に予め定めた低電圧検出しきい値を低電圧検出しきい値として用い、その算出値がある一定の電圧降下量より大きい場合に予め定めた低電圧検出しきい値に予め定めた値を加算した低電圧検出しきい値とする。制御部はこの電圧降下量から求めた低電圧検出しきい値によって低電圧検出処理を行う。
【００１８】
これによって、本発明の携帯電話機では、充電不十分な電池ではなく、満充電状態の電池を想定し、低電圧検出しきい値を設定することが可能となるため、従来に比べて使用時間を長くすることが可能となる。また、本発明の携帯電話機では、高機能化による高消費電力の場合でも、使用時間を短くすることなく、低電圧検出しきい値を設定することが可能となる。
【発明の効果】
【００１９】
本発明は、以下に述べるような構成及び動作とすることで、満充電状態の電池を想定して低電圧検出しきい値を設定することができ、従来に比べて使用時間を長くすることができるという効果が得られる。
【発明を実施するための最良の形態】
【００２０】
次に、本発明の実施例について図面を参照して説明する。図１は本発明の一実施例による携帯電話機の構成を示すブロック図である。図１において、本発明の一実施例による携帯電話機はアンテナ１１と、無線部１２と、制御部１３と、音声処理部１４と、充電可能な電池１５と、ＬＣＤ（Ｌｉｑｕｉｄ  Ｃｒｙｓｔａｌ  Ｄｉｓｐｌａｙ）表示部１６と、操作部１７と、着信ＬＥＤ（Ｌｉｇｈｔ  Ｅｍｉｔｔｉｎｇ  Ｄｉｏｄｅ）１８と、レシーバ１９と、マイク２０と、スピーカ２１とから構成されている。
【００２１】
また、制御部１３はＣＰＵ（中央処理装置）１３１と、メモリ１３２と、タイマ１３３と、Ａ／Ｄ（アナログ／ディジタル）変換部１３４と、図示せぬ周辺ブロックの制御回路とを備えている。
【００２２】
本発明の一実施例による携帯電話機は、制御部１３の制御によって無線部１２、アンテナ１１を介して基地局（図示せず）との通信を行う。無線部１２はアンテナ１１にて受信した信号を、受信したい信号周波数を選択し、周波数変換を行って増幅し、それを復調した受信データを制御部１３に出力する。制御部１３は基地局からの着信信号を検出すると、着信ＬＥＤ１８を制御して点滅させ、音声処理部１４を制御してスピーカ２１から着信音を鳴動させる。
【００２３】
通話時、制御部１３は受信データを処理して音声信号を音声処理部１４に出力し、音声処理部１４は音声信号をアナログ信号に変えてレシーバ１９から音声を出力する。また、マイク２０から入力された音声は音声処理部１４にてディジタル信号に変換され、制御部１３はその信号を送信データに変換し、無線部１２にて変調し、規定の周波数の搬送波として増幅し、アンテナ１１から送信を行う。制御部１３は操作部１７を監視し、ユーザの操作を判断して操作に基づく処理を行う。ＬＣＤ表示部１６は制御部１３の制御によって各種表示を行う。
【００２４】
制御部１３はＡ／Ｄ変換部１３４で電池１５の出力電圧をＡ／Ｄ変換して取得する。また、制御部１３はＡ／Ｄ変換処理をタイマ１３３のタイマ値に基づいて行い、取得したＡ／Ｄ変換値をメモリ１３２に格納する。
【００２５】
制御部１３は予め定めた電池レベル表示しきい値と、取得したＡ／Ｄ値とを比較し、電池レベルをＬＣＤ表示部１６に表示し、取得したＡ／Ｄ値が低電圧検出しきい値以下の場合にユーザに低電圧検出の報知を行う。
【００２６】
図２は本発明の一実施例による携帯電話機における電池電圧測定を示す図であり、図３は本発明の一実施例による携帯電話機の動作を示すフローチャートであり、図４は本発明の一実施例による携帯電話機の状態毎に使用するパラメータを示す図である。これら図１〜図４を参照して本発明の一実施例による携帯電話機の動作について説明する。尚、図３に示す処理はＣＰＵ１３１がメモリ１３２に格納するプログラムを実行することで実現される。
【００２７】
制御部１３はＡ／Ｄ変換部１３４で電池１５の電圧監視を行い、図２に示す電池電圧放電曲線１０１に対して、予め定める電池電圧値ｖ１と比較する（図３ステップＳ１）。尚、予め定める電池電圧値ｖ１は携帯電話機の状態毎に複数定めてもよい。
【００２８】
制御部１３は電池１５の電圧が電池電圧値ｖ１以下であることを検出した後、電池１５の電圧を測定し、測定した電池１５の電圧値とその時のタイマ値（ｔ１）とをメモリ１３２に格納する（図３ステップＳ２）。制御部１３はある一定時間（ｔ２）後、電池１５の電圧を測定し、測定した電池１５の電圧値とその時のタイマ値（ｔ２）とをメモリ１３２に格納する（図３ステップＳ３）。
【００２９】
制御部１３はメモリ１３２に格納した情報から電圧降下量を算出する（図３ステップＳ４）。制御部１３は算出した電圧降下量がある一定の電圧降下量より小さい場合に予め定めた低電圧検出しきい値を低電圧検出しきい値とし、算出した電圧降下量がある一定の電圧降下量より大きい場合に予め定めた携帯電話機の状態毎に持つ低電圧検出しきい値それぞれに予め定めた値を加算し、低電圧検出しきい値とする（図３ステップＳ５）。
【００３０】
ここで、図４を用いて、低電圧検出しきい値の算出について補足説明する。図４は本発明の一実施例による携帯電話機の状態毎に使用するパラメータを示す図である。本発明の一実施例による携帯電話機の状態［例えば、電源ＯＮ、待受中（無操作）、待受中（操作時）、通信中］毎に予め電圧降下量確認電圧３１（上述した電池電圧値ｖ１）、電圧降下量判定値３２、低電圧検出しきい値３３、加算値３４を待つ。
【００３１】
制御部１３はメモリ１３２に格納した情報から電圧降下量を算出すると（図３ステップＳ４）、電池電圧測定時の携帯電話機の状態に応じた電圧降下量（電圧降下量判定値３２）と比較し、電圧降下量が小さい場合に加算値３４を加算せずに低電圧検出しきい値３３を低電圧検出しきい値３５とする。また、制御部１３は電圧降下量が大きい場合に低電圧検出しきい値３３に加算値３４を加算し、低電圧検出しきい値３６とする。
【００３２】
尚、電圧降下量に応じて低電圧検出しきい値を調整しない場合には、待受中（無操作）の加算値３４に示すように、加算値を“０”とする。また、電圧降下量による加算処理を携帯電話機の状態によって無効にする場合には、待受中（無操作）の電圧降下量判定値３２に示すように、電圧降下量判定値を“０”とする。
【００３３】
制御部１３は充電開始の有無を監視し、充電を開始した場合（図３ステップＳ６）、低電圧検出しきい値を予め定めた低電圧検出しきい値に戻し、予め定める電池電圧値ｖ１を検出する（図３ステップＳ１）。
【００３４】
制御部１３は充電を開始しない場合（図３ステップＳ６）、携帯電話機の状態毎に参照する低電圧検出しきい値を参照し、低電圧検出しきい値を検出した場合（図３ステップＳ７）、タイマ１３３をスタートし（図３ステップＳ８）、ユーザに低電圧検出した旨をＬＣＤ表示部１６に表示し、低電圧報知音をスピーカ２１から出力し、ユーザに電池電圧の低電圧検出したことを報知する（図３ステップＳ９）。
【００３５】
この後に、制御部１３は充電開始の有無を監視し、充電開始した場合（図３ステップＳ１０）、低電圧検出しきい値を予め定めた低電圧検出しきい値に戻し、予め定める電池電圧値ｖ１を検出する（図３ステップＳ１）。制御部１３はタイマ１３３のタイムアウトを検出するまで（図３ステップＳ１１）、充電開始有無を監視する（図３ステップＳ１０）。
【００３６】
制御部１３はタイムアウトを検出した場合（図３ステップＳ１１）、低電圧検出しきい値を予め定めた低電圧検出しきい値に戻し、低電圧検出の報知を止め、携帯電話機の電源をＯＦＦにする（図３ステップＳ１２）。
【００３７】
このように、本実施例では、充電不十分な電池ではなく、満充電状態の電池を想定し、低電圧検出しきい値を設定することができるため、従来に比べて携帯電話の使用時間を長くすることができる。また、本実施例では、高機能化による高消費電力の場合でも、使用時間を短くすることなく、低電圧検出しきい値を設定することが可能となる。
【００３８】
図５は本発明の他の実施例による携帯電話機の状態毎に使用するパラメータを示す図である。図５において、本発明の他の実施例では、電圧降下量の判定値を複数有し（電圧降下量判定値Ａ４２、電圧降下量判定値Ｂ４３）、それに応じた加算値（加算値Ａ４５、加算値Ｂ４６）を有している。この場合、本実施例の動作は上述した本発明の一実施例による動作と同様である。
【００３９】
これによって、本実施例では、電池１５の状態に応じた低電圧検出しきい値をさらに詳細に調整することが可能となるため、電池１５の充電状態に応じた低電圧検出しきい値にすることができ、使用時間を長くすることができる。
【００４０】
図６は本発明の別の実施例による携帯電話機の状態毎に使用するパラメータを示す図である。図６において、本発明の別の実施例では、携帯電話機の設定に応じた加算値を複数持つことを特徴とする。本実施例では、例えば、スピーカ２１の出力音量小用の加算値５４と出力音量大用の加算値５５とを持っている。この場合、本実施例の動作は上述した本発明の一実施例による動作と同様である。
【００４１】
本実施例では、電圧降下量が大きい場合、低電圧検出しきい値５１に予め定めた値を加算するが、スピーカ２１の出力音量の設定値によって加算する値を変えている。スピーカ２１の出力音量が小さい場合には、加算値（音量小）５５を低電圧検出しきい値５１に加え、スピーカ２１の出力音量が大きい場合には、加算値（音量大）５５を低電圧検出しきい値５１に加える。スピーカ２１の音量設定に依存しない携帯電話機の状態については、通話中以外のように、同じ加算値とする。携帯電話機の設定が変更された場合、低電圧検出しきい値についても設定に合わせて変更する。
【００４２】
携帯電話機は機能の増加や機能のマルチタスク化によって、消費電力量も携帯電話機の使用形態で大きく異なる。そのため、本実施例では、機能や設定によって低電圧検出しきい値の加算値を変えることで、携帯電話機の使用形態にあわせた低電圧検出しきい値となり、かつ電池１５の充電状態に応じた低電圧検出しきい値とすることができるため、使用時間を長くすることができる。
【図面の簡単な説明】
【００４３】
【図１】本発明の一実施例による携帯電話機の構成を示すブロック図である。
【図２】本発明の一実施例による携帯電話機における電池電圧測定を示す図である。
【図３】本発明の一実施例による携帯電話機の動作を示すフローチャートである。
【図４】本発明の一実施例による携帯電話機の状態毎に使用するパラメータを示す図である。
【図５】本発明の他の実施例による携帯電話機の状態毎に使用するパラメータを示す図である。
【図６】本発明の別の実施例による携帯電話機の状態毎に使用するパラメータを示す図である。
【図７】従来例による携帯電話機における電池電圧測定を示す図である。
【符号の説明】
【００４４】
１１  アンテナ
１２  無線部
１３  制御部
１４  音声処理部
１５  電池
１６  ＬＣＤ表示部
１７  操作部
１８  着信ＬＥＤ
１９  レシーバ
２０  マイク
２１  スピーカ
１３１  ＣＰＵ
１３２  メモリ
１３３  タイマ
１３４  Ａ／Ｄ変換部
【図１】
2007060782.tif 000003
【図２】
2007060782.tif 000004
【図３】
2007060782.tif 000005
【図４】
2007060782.tif 000006
【図５】
2007060782.tif 000007
【図６】
2007060782.tif 000008
【図７】
2007060782.tif 000009